(57)【要約】【課題】コンパクトで携帯性に優れ、安価な、携帯電子機器用の充電用ホルダの提供を目的とする。【解決手段】本体部と一対の挟持部とを備え、本体部は、充電端子を有し、一対の挟持部は、本体部の両側からそれぞれ対向して突出形成してあり、且つ対向面にロック部を有し、充電するための電子機器を一対の挟持部間に挿入すると電子機器が当該ロック部にてロック保持され、電子機器側に設けてある受電端子に充電端子が電気接続するものであることを特徴とする。【選択図】  図１
2007195296.tif 000002
【特許請求の範囲】
【請求項１】
本体部と一対の挟持部とを備え、
本体部は、充電端子を有し、
一対の挟持部は、本体部の両側からそれぞれ対向して突出形成してあり、且つ対向面にロック部を有し、
充電するための電子機器を一対の挟持部間に挿入すると電子機器が当該ロック部にてロック保持され、電子機器側に設けてある受電端子に充電端子が電気接続するものであることを特徴とする充電用ホルダ。
【請求項２】
ロック部は、電子機器側に設けてある係止凹部に突出係止する係止爪を有し、
係止爪は、突出側に弾性付勢してあることを特徴とする請求項１記載の充電用ホルダ。
【請求項３】
一対の挟持部は、それぞれ電子機器の側部を上下からガイドするガイド片を有していることを特徴とする請求項１又は２記載の充電用ホルダ。
【発明の詳細な説明】
【技術分野】
【０００１】
本発明は、移動通信機やＰＤＡ（Ｐｅｒｓｏｎａｌ  Ｄｉｇｉｔａｌ  Ａｓｓｉｓｔａｎｔ）等の携帯電子機器に備える電池を充電するための充電用ホルダに関する。
【背景技術】
【０００２】
携帯電話機等の内蔵した二次電池の充電が必要な電子機器では、例えば図５（ａ）に示すように充電台１１０に凹部１１１を設けて携帯電話機１５０を立てるように装着したり、図５（ｂ）に示すように充電台１１２に載置面１１３を設けて携帯電話機１５１を載置面１１３に装着する充電台が使用されている。
しかし、携帯電話機を立てて装着するタイプでは携帯電話機１５０を支持できるように充電台１１０の厚みが大きかったり、携帯電話機１５１を載せるタイプの充電台では携帯電話機１５１よりもサイズが大きくなるため、いずれも携帯性に劣っていた。
特開２００５−２８７１９８号公報に、充電台の全長を伸縮できる技術を開示するが未だサイズが大きいだけではなく構造が複雑になる課題があった。
【０００３】
【特許文献１】特開２００５−２８７１９８号公報
【発明の開示】
【発明が解決しようとする課題】
【０００４】
本発明は上記技術的課題に鑑みて、コンパクトで携帯性に優れ、安価な、携帯電子機器用の充電用ホルダの提供を目的とする。
【課題を解決するための手段】
【０００５】
請求項１記載の発明に係る充電用ホルダは、本体部と一対の挟持部とを備え、本体部は、充電端子を有し、一対の挟持部は、本体部の両側からそれぞれ対向して突出形成してあり、且つ対向面にロック部を有し、充電するための電子機器を一対の挟持部間に挿入すると電子機器が当該ロック部にてロック保持され、電子機器側に設けてある受電端子に充電端子が電気接続するものであることを特徴とする。
【０００６】
請求項２記載の発明においては、ロック部は、電子機器側に設けてある係止凹部に突出係止する係止爪を有し、係止爪は、突出側に弾性付勢してあることを特徴とする。
【０００７】
一対の挟持部に設けたロック部の位置は、電子機器を装置した際に充電用ホルダに設けた充電端子に電子機器側の受電端子が当接する位置であり、ロック部の突出側に弾性付勢した係止爪は電子機器側に設けた係止凹部に係止する位置に設定する。
【０００８】
請求項３に記載の発明は、一対の挟持部は、それぞれ電子機器の側部を上下からガイドするガイド片を有していることを特徴とする。
ここで電子機器の側部を上下からガイドすることは、電子機器を充電用ホルダに装着する際に電子機器の装着部の厚み方向をガイド支持する趣旨である。
【発明の効果】
【０００９】
本発明に係る充電用ホルダは、本体部と挟持部とを備えて、一対の挟持部の対向面で電子機器の対向する側部を挟持する構造なので、携帯電話機等の重量を受ける必要がなく、携帯電話機を横にしてその端部に設けてある受電端子に充電用ホルダの充電端子が当接するように一対の挟持部で携帯電話機の端部をロック保持できればよいのでコンパクトである。
これにより充電用ホルダの携帯性がよい。
【００１０】
また、ロック部を突出側に弾性付勢した係止爪構造にすると、携帯電話機の本体等を一対の挟持部に挿入するだけで携帯電話機の側部に設けた凹部に係止爪を係止させることができ、逆に係止爪の弾性力に対抗する力で引き抜くだけで充電用ホルダから携帯電話機等を離脱することができる。
一対の挟持部に電子機器の側部をそれぞれ上下からガイドするガイド片を設けるとこの上下のガイド片にて電子機器の装着部の厚み方向を保持するので充電用ホルダの厚み寸法を携帯電話機の装着部の厚みと同等レベルに抑えることができ、さらにコンパクトな充電用ホルダとなる。
【発明を実施するための最良の形態】
【００１１】
電子機器として折りたたみ式の携帯電話機を例に取り上げ、それに適用した充電用ホルダの実施例について、以下図面に基づいて説明する。
図３（ａ）に携帯電話機５０を充電用ホルダ１０に装着した状態を示し図３（ｂ）に、携帯電話機５０を充電用ホルダ１０から離脱し、充電用ホルダ１０からＡＣアダプタ（図示省略）のプラグ１を外した状態を示し、そのＡ視図を図３（ｃ）に示す。
図３（ｂ）に示すように、充電用ホルダ１０は、本体部２０と一対の挟持部３０とを有し、挟持部３０を本体部２０の両側より、対向面３１を対向させつつ突出させて配設してある。
図３（ｃ）に示すように充電用ホルダ１０に装着接続する携帯電話機５０は、折りたたむためのヒンジ５０ｄを有する略直方体形からなり、充電用ホルダ１０に装着する側を説明のため操作部５０ａとし、反対側を表示部５０ｃとする。
この表示部５０ｃは図３（ａ）、図３（ｂ）では説明のため取り除いて描いてあり、また操作部５０ａも要部のみを描いてある。
この略直方体形の操作部５０ａの受電端子５２ａを有する面を端子面５１とし、端子面５１に向かって左右の側面を係止面５３とし、端子面５１に向かって上面を操作面５５とし、下面を裏面５６とし、操作部５０ａの受電端子５２ａを有する端子面５１側の端部を接続側端部５０ｂとする。
充電用ホルダ１０は、予め商用電源に接続してあるＡＣアダプタのコードの先に設けたプラグ１と、本体部２０に設けてあるプラグ用接続部２１とを接続しておき、充電用ホルダ１０に携帯電話機の接続側端部５０ｂを装着することで充電端子２２ａから受電端子５２ａに充電電流を供給する。
接続側端部５０ｂの両方の係止面５３には、それぞれケース５８を凹ませた係止凹部５４を設けてある。
【００１２】
図１（ａ）に携帯電話機５０を充電用ホルダ１０から外した状態を示し、説明のために充電用ホルダ１０及び携帯電話機５０は断面要部図を示す。
図１（ｂ）に充電用ホルダ１０と携帯電話機５０の縦断面要部図を示す。
図１はわかりやすくするため操作側部５０ａのケース５８内には受電端子５２ａを有するコネクタ５２のみを描いてある。
本実施例においては、充電用ホルダのケース１１は本体部２０と一対の挟持部３０を一体的に形成した例を示す。
また、ケース１１は図３（ｃ）に示すように上ケース１１ａと下ケース１１ｂとからなり、左右一対の挟持部３０の対向する対向面３１は、携帯電話機の左右係止面５３間幅と略等しい間隔を空けるように配設してある。
図２に携帯電話機５０を充電用ホルダ１０に装着した状態を示す。
このように、携帯電話機の裏面５６を下にして横に置き、受電端子５２ａ側の携帯電話機５０の一部のみを挟持するため、充電用ホルダ１０は非常にコンパクトになっている。
本体部２０は、受電端子５２ａと接続させる充電端子２２ａと、ＡＣアダプタのプラグ１と接続するためのプラグ用接続部２１とを有し、互いに中継基板２３を介して接続してある。
充電端子２２ａは、トーションバネ２２を図示を省略した軸部に軸着し一端を中継基板２３に連結し、他端側の先端を接続方向山形に折り曲げて形成してある。
【００１３】
図１に示すように挟持部３０は対向面３１に上側ガイド片３２ａ、下側ガイド片３２ｂからなるガイド部３２と、ロック部４０とを設けてある。
ガイド部３２は、携帯電話機５０の接続側端部５０ｂを充電端子２２ａと受電端子５２ａとを接続させる方向に挿入し、保持するものであればよく、図１に示したように充電用ホルダの凹部全周にわたってガイド片を設けても挟持部の対向面のみに設けてもよい。
図２に示すように、ロック部４０は、受電端子５２ａと充電端子２２ａとを接続した位置であって、接続側端部５０ｂの係止凹部５４の位置に対応して係止爪４１を設けて、弾性付勢してある。
これにより、係止爪４１を係止凹部５４に係止し、離脱方向の移動をロックすることで携帯電話機５０を充電用ホルダ１０に装着接続する。
【００１４】
図４（ａ）にロック部４０付近の拡大説明図を示す。
ロック部４０は、対向面３１に係止爪用開口部３１ａを設けて、係止爪用開口部３１ａ内に係止爪４１と、係止爪４１を案内し弾性付勢するための案内アーム４４とトーションバネ４７とを配設してある。
係止爪４１は案内アーム４４の一端に配設してあり、案内アーム４４の他端に軸４５を設けて充電用ホルダ１０のケース１１内に設けた軸受け（図示省略）に軸支してある。
これにより案内アーム４４は、軸４５を中心に回動することで係止爪４１を係止爪用開口部３１ａに対して突出又は没入するように案内する。
案内アーム４４は、トーションバネ４７により突出側に弾性付勢されている。
トーションバネ４７は、コイル部分から引き出されているワイヤーの一方を案内アーム部４４に突出して設けたバネ受け部４６に係止し、他方を充電用ホルダケース１１の内面に当てて、案内アーム４４を係止爪４１が係止爪用開口部３１ａから突出するようにバネ付勢している。
この、案内アーム４４は係止爪４１を係止爪用開口部３１ａに対して突出、没入するように案内できれば、その構造は限定されず、例えば係止爪用開口部方向にスライドする構造等でもよい。
係止爪４１は、携帯電話機の接続側端部５０ｂを挿し込むだけで挟持部３０間に装着出来るようにするため、装着操作により係止爪４１を係止爪用開口部３１ａ内へ押し込んで退避させるための装着側斜面４２を、携帯電話機５０の装着操作時に携帯電話機ケース５８が当たる側に設けてある。
そして、装着した携帯電話機を引っ張るだけで脱着出来るようにするため、離脱操作により係止爪４１を係止爪用開口部３１ａ内へ押し込んで退避させるための離脱側斜面４３を、携帯電話機の離脱操作時に係止凹部５４の縁部５４ａが当たる側に設けてある。
【００１５】
携帯電話機を充電用ホルダに装着する際の、係止爪の動作について説明する。
図４（ｂ）に携帯電話機５０を充電用ホルダ１０に装着しようとして、操作側部５０ａのケース５８が係止爪４１に当たった状態を示す。
ケース５８は、係止爪４１の装着方向における外側の装着側斜面４２に当たっている。
この装着側斜面４２は、携帯電話機の装着進行方向において次第に接続側端部５０ｂ側に高くなる斜面としてある。
装着操作によりケース５８が係止爪４１を押圧する押圧力は、斜面方向で接続側端部５０ｂ側の力と、係止爪４１を係止爪用凹部３１ａ内に向けて押す力とに、この装着側斜面４２により分解される。
これにより、装着操作により係止爪４１は係止爪用開口部３１ａ内に退避する。
接続側端部５０ｂを更に充電端子２２ａに向けて挿入すると、受電端子５２ａと充電端子２２ａとが接続する。
この接続位置で係止凹部５４の位置が係止爪４１の位置と合い、図４（ａ）に示すように係止爪４１が係止凹部５４内に突出する。
これにより、係止爪４１が係止凹部５４の縁部５４ａに係り、図１に示すガイド部３２に沿った離脱方向の移動を規制し、対向面３１とガイド部３２とで接続側端部５０ｂを挟んで保持する。
このように、携帯電話機は充電用ホルダ１０に接続側端部５０ｂを挿し込むだけで装着出来る。
図４（ｃ）に携帯電話機を充電用ホルダ１０から外そうとして、係止凹部５４の縁部５４ａが係止爪４１に当たった状態を示す。
係止凹部５４の縁部５４ａは、係止爪４１の離脱方向における充電端子２２ａ側の離脱側斜面４３に当たっている。
この側斜面４３は、携帯電話機の離脱進行方向において次第に接続側端部５０ｂ側に逃げる傾斜面としてある。
離脱操作により係止凹部５４の縁部５４ａが係止爪４１を押圧する押圧力は、斜面方向で接続側端部５０ｂ側の力と係止爪４１を係止爪用凹部３１ａ内に向けて押す力とにこの離脱側斜面４３により分解される。
これにより、携帯電話機の外し操作で係止爪４１を係止爪用開口部３１ａ内に退避させる携帯電話機は引き抜くだけで充電用ホルダ１０から外すことができる。
【００１６】
この実施例では、携帯電話機の充電用の受電端子に充電用ホルダの充電端子のみを接続しているが、充電用ホルダと接続する携帯電話機等の電子機器の接続端子は限定されるものではない。
よって充電用ホルダは、電子機器側に接続端子部を設けて、ホルダ側にこの接続端子部に接続するための電子機器用の接続部と、外部機器と接続するための外部機器用の接続部とを互いに接続して設けて、例えば電子機器と外部機器との信号接続等を中継するものでも良い。
【図面の簡単な説明】
【００１７】
【図１】本発明に係る充電用ホルダから携帯電話機を外した状態を示す。
【図２】充電用ホルダに携帯電話機を装着した状態示す。
【図３】（ａ）は携帯電話機を充電用ホルダに装着した外観説明図を示し、（ｂ）は携帯電話機とプラグを充電用ホルダから外した外観説明図を示し、（ｃ）はＡ視図を示す。
【図４】（ａ）はロック部付近の拡大説明図を示し、（ｂ）は携帯電話機装着操作時の係止爪動作の説明図を示し、（ｃ）は携帯電話機離脱操作時の係止爪動作の説明図を示す。
【図５】従来の充電台の例を示す。
【符号の説明】
【００１８】
１      アダプタのプラグ
１０    充電用ホルダ
１１    充電用ホルダケース
２０    本体部
２１    アダプタのプラグ用接続部（外部機器用接続部）
２２    トーションバネ
２２ａ  充電端子
２３    中継基板
３０    挟持部
３１    対向面
３１ａ  係止爪用開口部
３２    ガイド部
３２ａ  上側ガイド片
３２ｂ  下側ガイド片
４０    ロック部
４１    係止爪
４２    装着側斜面
４３    離脱側斜面
４４    案内アーム
４５    案内アーム部軸
４６    バネ受け部
４７    トーションバネ
５０    電子機器（携帯電話機）
５０ａ  操作部
５０ｂ  接続側端部
５０ｃ  表示部
５０ｄ  ヒンジ
５１    端子面
５２    受電端子コネクタ
５２ａ  受電端子
５３    係止面
５４    係止凹部
５４ａ  係止凹部の縁部
５５    操作面
５６    裏面
５８    電子機器ケース（携帯電話機ケース）
【図１】
2007195296.tif 000003
【図２】
2007195296.tif 000004
【図３】
2007195296.tif 000005
【図４】
2007195296.tif 000006
【図５】
2007195296.tif 000007